(57)【要約】【課題】電池セル間における温度分布のばらつきを少なくすること。【解決手段】第１電池層２３，第２電池層２４は、複数の電池セル２１を互いに軸方向が平行に、且つ円環状となるように配置して形成されているとともに、第２電池層２４は、第１電池層２３の外側に配置されている。そして、第１電池層２３と第２電池層２４の間には、熱交換媒体を流すための層間媒体流路１５が電池セル２１の軸方向に沿って延びるように形成されている。【選択図】図１
2012252910.tif 000002
【特許請求の範囲】
【請求項１】
柱状をなす複数の電池セルと、
前記電池セルを保持する保持部材とを有する電池モジュールであって、
前記保持部材により前記電池セルは互いに軸方向が平行に保持されることで平面視において環状である第１電池層および第２電池層を形成し、
前記第２電池層は、前記第１電池層の外側に形成され、
前記第１電池層と前記第２電池層との間には熱交換媒体を流すための層間媒体流路が前記電池セルの軸方向に沿って延びるように形成されていることを特徴とする電池モジュール。
【請求項２】
前記層間媒体流路は、前記第１電池層または前記第２電池層のうち少なくとも何れかの電池層を形成する前記電池セルの中心軸をつなぐ包絡線からの距離が一定となるように形成された環状の流路であることを特徴とする請求項１に記載の電池モジュール。
【請求項３】
前記第１電池層のさらに内側には、前記電池セルの軸方向に沿って延びるように、前記熱交換媒体を流すための内側媒体流路が形成されていることを特徴とする請求項１または２に記載の電池モジュール。
【請求項４】
前記保持部材は金属からなることを特徴とする請求項１〜３のいずれか１項に記載の電池モジュール。
【請求項５】
前記保持部材は、前記第１電池層を形成する前記電池セルを保持する内側保持部材と、前記第２電池層を形成する前記電池セルを保持する外側保持部材と、前記内側保持部材と前記外側保持部材とを連結する連結部とを有し、前記外側保持部材と前記内側保持部材の間に形成される空間が前記層間媒体流路をなすことを特徴とする請求項１〜４のいずれか１項に記載の電池モジュール。
【発明の詳細な説明】
【技術分野】
【０００１】
本発明は、電池モジュールに関する。
【背景技術】
【０００２】
複数の電池セルを組み合わせた電池モジュールでは、電池セルの放電時又は充電時に発生する熱が蓄積しやすいという問題がある。このような問題に対して、電池セルを冷却する熱交換媒体を流すための媒体流路を設けた電池モジュールが提案されている（例えば、特許文献１）。
【０００３】
特許文献１では、電池セルを環状に配置した電池層のさらに外側を取り囲むように電池層を形成するとともに、この内側に配置された電池層の内側に熱交換媒体が流れる媒体流路を設けた構成とされている。このような構成により、特許文献１の電池モジュールでは、各電池セルと流路を流れる熱交換媒体との間で熱交換がなされ、各電池セルが冷却されるようになっている。
【先行技術文献】
【特許文献】
【０００４】
【特許文献１】特開２０００−２６８７９１号公報
【発明の概要】
【発明が解決しようとする課題】
【０００５】
しかしながら、特許文献１の電池モジュールにおいて、外側に配置された電池層は、内側に配置された電池層と比較して媒体流路から離間していることにより熱交換媒体との間で熱交換がされにくく、十分に冷却できない虞がある。この結果、特許文献１では、内側に配置された電池層を形成する電池セルと、外側に配置された電池層を形成する電池セルとの間において、温度分布のばらつきが大きくなってしまい、電池モジュールの劣化を促進する原因となっている。
【０００６】
本発明は、このような従来の技術に存在する問題点に着目してなされたものであり、その目的は、電池セル間における温度分布のばらつきを少なくすることのできる電池モジュールを提供することにある。
【課題を解決するための手段】
【０００７】
上記課題を解決するため、請求項１に記載の発明は、柱状をなす複数の電池セルと、前記電池セルを保持する保持部材とを有する電池モジュールであって、前記保持部材により前記電池セルは互いに軸方向が平行に保持されることで平面視において環状である第１電池層および第２電池層を形成し、前記第２電池層は、前記第１電池層の外側に形成され、前記第１電池層と前記第２電池層との間には熱交換媒体を流すための層間媒体流路が前記電池セルの軸方向に沿って延びるように形成されていることを要旨とする。ここで平面視において環状に配置されるとは、複数の電池セルの端面が環状をなして配置される場合を指す。なお、「環状」とは、閉じた完全な環をなしている状態のほか、例えば円弧状など環の一部をなしている状態をも含むものとする。
【０００８】
また、第２電池層が、第１電池層の外側に形成されるとは、第１電池層の中心点が第２電池層の内部に位置し、第２電池層の全体が第１電池層を取り囲むように第１電池層の外側に配置される場合を指し、第２電池層の内部に第１電池層が配置されない場合を除く。
【０００９】
これによれば、層間媒体流路が第１電池層と第２電池層の間に形成されているため、最も内側に配置された電池層の内側にのみ媒体流路を形成する場合と比べて、熱交換媒体を流すための媒体流路と各電池層との離間距離を平均化することができる。このため、層間媒体流路を流れる熱交換媒体との間の熱交換のされやすさにばらつきが生じることを抑制することができる。したがって、電池セル間における温度分布のばらつきを少なくすることができる。
【００１０】
請求項２に記載の発明は、請求項１に記載の電池モジュールにおいて、前記層間媒体流路は、前記第１電池層または前記第２電池層のうち少なくとも何れかの電池層を形成する前記電池セルの中心軸をつなぐ包絡線からの距離が一定となるように形成された環状の流路であることを要旨とする。
【００１１】
これによれば、第１電池層または第２電池層のうち少なくとも何れかの電池層を形成する電池セルの中心軸をつなぐ包絡線から層間媒体流路までの距離が一定となる。このため、第１電池層または第２電池層のうち少なくとも何れかの電池層を形成する各電池セルは、層間媒体流路を流れる熱交換媒体との間で、均等に熱交換される。したがって、同一の電池層を形成する各電池セル間における温度分布のばらつきを少なくすることができる。
【００１２】
請求項３に記載の発明は、請求項１または２に記載の電池モジュールにおいて、前記第１電池層のさらに内側には、前記電池セルの軸方向に沿って延びるように、前記熱交換媒体を流すための内側媒体流路が形成されていることを要旨とする。
【００１３】
これによれば、第１電池層のさらに内側には、内側媒体流路が形成されているため、層間媒体流路を流れる熱交換媒体に加え、内側媒体流路を流れる熱交換媒体により熱交換することができる。したがって、電池セル間における温度分布のばらつきをさらに少なくすることができる。
【００１４】
請求項４に記載の発明は、請求項１〜３のいずれか１項に記載の電池モジュールにおいて、前記保持部材は金属からなることを要旨とする。これによれば、保持部材が金属からなることにより、電池セルと熱交換媒体の熱交換効率が向上される。
【００１５】
請求項５に記載の発明は、請求項１〜４のいずれか１項に記載の電池モジュールにおいて、前記保持部材は、前記第１電池層を形成する前記電池セルを保持する内側保持部材と、前記第２電池層を形成する前記電池セルを保持する外側保持部材と、前記内側保持部材と前記外側保持部材とを連結する連結部とを有し、前記外側保持部材と前記内側保持部材の間に形成される空間が前記層間媒体流路をなすことを要旨とする.
これによれば、保持部材は、内側保持部材と外側保持部材を連結部で連結することにより形成される。このため、内側保持部材と外側保持部材の間に層間媒体流路を形成しても、内側保持部材と外側保持部材が分離されない。また、内側保持部材と外側保持部材の間に形成される空間が層間媒体流路をなすことから、別部材を設けることなく流路を形成することができる。したがって、部品点数の削減を図ることができる。
【発明の効果】
【００１６】
本発明によれば、電池セル間における温度分布のばらつきを少なくすることができる。
【図面の簡単な説明】
【００１７】
【図１】電池モジュールの模式斜視図。
【図２】図１に示すＡ−Ａ線模式断面図。
【図３】別の実施形態における電池モジュールの模式部分断面図。
【図４】別の実施形態における電池モジュールの模式部分断面図。
【発明を実施するための形態】
【００１８】
以下、本発明を具体化した一実施形態について図１及び図２にしたがって説明する。
図１に示すように、電池モジュール１０の保持部材としてのケース１１は、金属（例えば、アルミや銅など）からなり、全体として円柱状（略円柱状）をなしている。
【００１９】
ケース１１には、その軸方向に貫通するように複数（本実施形態では６個）の第１挿入孔１２が形成されている。各第１挿入孔１２は、ケース１１の中心軸Ｃと平行に、かつ平面視において中心軸Ｃを中心とした円環状になるように配置されている。各第１挿入孔１２は、隣り合う第１挿入孔１２同士の間隔が一定となるように配置されている。また、ケース１１において、各第１挿入孔１２よりも径方向の外側には、ケース１１の軸方向に貫通するように複数（本実施形態では１０個）の第２挿入孔１３が形成されている。各第２挿入孔１３は、ケース１１の中心軸Ｃと平行に、かつ平面視において中心軸Ｃを中心とした円環状になるように配置されている。各第２挿入孔１３は、円環状に配置された第１挿入孔１２のさらに外側を取り囲むように配置されている。各第２挿入孔１３は、隣り合う第２挿入孔１３同士の間隔が一定となるように配置されている。本実施形態において、各第１挿入孔１２の直径、及び各第２挿入孔１３の直径は、何れも同一とされている。
【００２０】
図１及び図２に示すように、それぞれ円環状に配置された第１挿入孔１２、及び第２挿入孔１３の間には、熱交換媒体（例えば水、空気、又は有機溶媒など）を流すための層間媒体流路１５が設けられている。層間媒体流路１５は、ケース１１の軸方向（中心軸Ｃの延びる方向）に沿って延びるように貫通し、且つ平面視において中心軸Ｃを中心とする環状（円筒状）に形成されている。また、層間媒体流路１５は、各挿入孔１２，１３からの離間距離が同一（均一）となるように配置されている。したがって、それぞれ円環状に配置される各挿入孔１２，１３、及び層間媒体流路１５は、相互に平行に、かつ平面視において中心軸Ｃを中心とする同心円状に配置されるとともに、層間媒体流路１５は、各第１挿入孔１２と各第２挿入孔１３との間の中央において各挿入孔１２，１３に挟まれるように形成されることになる。
【００２１】
換言すれば、本実施形態のケース１１は、各第２挿入孔１３が形成された円筒状の外側保持部材１１ｂ及び各第１挿入孔１２が形成された円柱状の内側保持部材１１ｃ及び連結部１１ａからなり、連結部１１ａによって内側保持部材１１ｃを外側保持部材１１ｂの内側に挿通させた状態で支持することにより、層間媒体流路１５が形成されていると把握することもできる。すなわち、ケース１１は、外側保持部材１１ｂと内側保持部材１１ｃが連結部１１ａによって連結されることにより形成されており、ケース１１をこのように構成することにより、外側保持部材１１ｂと内側保持部材１１ｃの間には、空間が形成され、この空間が層間媒体流路１５をなしている。そして、本実施形態の層間媒体流路１５には、図示しない熱交換媒体供給源（例えばポンプなど）が接続され、層間媒体流路１５に熱交換媒体が流されるようになっている。
【００２２】
そして、各第１挿入孔１２、及び各第２挿入孔１３には、略円柱状をなす電池セル２１がそれぞれ挿入されている。本実施形態において、各電池セル２１は、何れも二次電池（例えばニッケル水素二次電池やリチウムイオン二次電池）とされている。電池セル２１は、その一端に正極端子２１ａが設けられるとともに、他端（底部）に負極端子２１ｂが設けられており、この各端子２１ａ，２１ｂを介して放電及び充電を可能に構成されている。
【００２３】
また、電池セル２１の外径（直径）は、各挿入孔１２，１３の径（直径）とほぼ同一となっている。したがって、電池セル２１は、各挿入孔１２，１３に挿入されることで、その外周面が各挿入孔１２，１３の内周面（ケース１１）と密着した状態で支持される。そして、本実施形態の電池モジュール１０において、電池セル２１は、各第１挿入孔１２に挿入されることにより、内側保持部材１１ｃに保持される。そして、各第１挿入孔１２に挿入される複数の電池セル２１は、互いに軸方向が平行に、かつ円環状となるように保持されることで、平面視において円環状の第１電池層２３を形成する。また、第１電池層２３を形成する各電池セル２１は、隣り合う電池セル２１同士の間隔が一定とされている。
【００２４】
同様に、本実施形態の電池モジュール１０において、電池セル２１は、各第２挿入孔１３に挿入されることにより、外側保持部材１１ｂに保持される。そして、各第２挿入孔１３に挿入される複数の電池セル２１は、互いに軸方向が平行に、かつ円環状となるように保持されることで、平面視において円環状の第２電池層２４を形成する。第２電池層２４を形成する各電池セル２１は、隣り合う電池セル２１同士の間隔が一定とされている。また、本実施形態の電池モジュール１０では、内側に配置される第１電池層２３の外側を取り囲むように第２電池層２４が配置されており、複数の電池層を積層した構成とされている。なお、ここでいう平行とは厳密な意味での平行だけでなく、各電池セル２１が中心軸Ｃに対して、あるいは互いにわずかに径方向や周方向に傾いて配置されているものも含むものとする。すなわち、各電池セル２１は、略平行に配置されることにより、第１電池層２３，第２電池層２４を形成しておればよい。
【００２５】
また、本実施形態では、層間媒体流路１５は、第１電池層２３を形成する各電池セル２１の中心軸を平面視でつなぐ仮想線である包絡線Ｅ１からの距離が一定となるように形成されているとともに、第２電池層２４を形成する各電池セル２１の中心軸を平面視でつなぐ仮想線である包絡線Ｅ２からの距離も一定となるように形成されている。すなわち、層間媒体流路１５は、包絡線Ｅ１と包絡線Ｅ２の間の中央に配置されることにより、包絡線Ｅ１から層間媒体流路１５までの距離と、包絡線Ｅ２から層間媒体流路１５までの距離が同一とされている。
【００２６】
また、層間媒体流路１５は、第１電池層２３と第２電池層２４との間において、各電池セル２１の軸方向に沿って延びるように形成されているといえる。このため、本実施形態において、熱交換媒体の流れる方向は、ケース１１の軸方向（中心軸Ｃ）、及び各電池セル２１の軸方向に沿った方向と一致される。
【００２７】
次に、以上のように構成した電池モジュール１０の作用について説明する。
電池モジュール１０では、充電又は放電により各電池セル２１が発熱する。第１電池層２３を構成する電池セル２１で発生した熱は、各電池セル２１の外周面から第１挿入孔１２の内周面を介してケース１１に伝達される。同様に、第２電池層２４を構成する各電池セル２１で発生した熱は、各電池セル２１の外周面から第２挿入孔１３の内周面を介してケース１１に伝達される。
【００２８】
そして、ケース１１に伝達された熱は、層間媒体流路１５を流れる熱交換媒体に伝達される。このように、本実施形態では、各電池セル２１で発生した熱がケース１１を介して熱交換媒体に放熱（熱交換）され、各電池セル２１が冷却される。すなわち、各電池セル２１とケース１１は、熱交換可能に接続されている。
【００２９】
また、層間媒体流路１５は、ケース１１の径方向において第１電池層２３と第２電池層２４の間の中央に形成されている。したがって、例えば、第１電池層２３の中心（図１において二点鎖線で示す）にのみ熱交換媒体を流すための媒体流路Ｖを形成する場合と比べて、第１電池層２３及び第２電池層２４を構成する各電池セル２１から媒体流路までの距離が平均化（均一化）される。
【００３０】
詳しく説明すると、第１電池層２３の中心にのみ媒体流路Ｖを形成した場合には、媒体流路Ｖから最も離間して配置される第２電池層２４までの距離と、媒体流路Ｖから最も近い位置に配置される第１電池層２３までの距離の差が大きくなる。
【００３１】
一方、本実施形態において、層間媒体流路１５は、第１電池層２３を形成する各電池セル２１の中心軸を平面視でつなぐ仮想線である包絡線Ｅ１からの距離が一定となるように形成されているとともに、第２電池層２４を形成する各電池セル２１の中心軸を平面視でつなぐ仮想線である包絡線Ｅ２からの距離も一定となるように形成されている。また、包絡線Ｅ１から層間媒体流路１５までの距離と、包絡線Ｅ２から層間媒体流路１５までの距離は同一とされている。このため、本実施形態では、第１電池層２３を構成する各電池セル２１における熱交換効率と、第２電池層２４を構成する各電池セル２１における熱交換効率が均等化される。したがって、本実施形態では、第１電池層２３を構成する各電池セル２１と第２電池層２４を構成する各電池セル２１に対する熱交換効率（冷却効率）の平均化（均一化）が図られ、各電池セル２１における温度分布のばらつきが少なくなる。
【００３２】
続けて、本実施形態の電池モジュール１０における温度分布のばらつき及び、比較例の電池モジュールにおける温度分布のばらつきのシミュレーション結果について説明する。なお、以下に示す温度分布のシミュレーション条件は単なる一例にすぎず、実施形態がこれに限定されるものではない。
【００３３】
比較例として、図１に示すように、層間媒体流路１５を形成せず第１電池層２３の中心にのみ媒体流路Ｖを形成した電池モジュールを設定した。なお、比較例の電池モジュールにおける媒体流路Ｖは、ケース１１の中心軸Ｃと直交する方向における断面積を層間媒体流路１５と同一面積に設定している。また、シミュレーション条件として、各電池セル２１の電池容量を２２００ｍＡｈに、内部抵抗を２２０ｍΩに設定するとともに、各媒体流路１５，Ｖに流す熱交換媒体として２０℃の冷媒を設定し、さらに各媒体流路１５，Ｖにおける流量を５Ｌ／ｍｉｎに設定した。また、各電池セル２１の発熱は１Ｗ／本（所謂１Ｃ放電条件下での発熱）とし、各電池セル２１の初期温度は全て２０℃とした。
【００３４】
この結果、本実施形態における電池モジュール１０では、第１電池層２３を構成する各電池セル２１の最大電池温度は２０．３３℃であり、第２電池層２４を構成する各電池セル２１の最大電池温度は２２．３９℃であった。また、各電池セル２１の平均温度は２１．５８であった。すなわち、第１電池層２３と第２電池層２４とでは、その最大温度の差が０．８１℃であった。
【００３５】
一方、比較例の電池モジュールでは、第１電池層２３を構成する各電池セル２１の最大電池温度は３１．５２℃であり、第２電池層２４を構成する各電池セル２１の最大電池温度は４４．０３℃であった。また、各電池セル２１の平均温度は４１．３０であった。すなわち、第１電池層２３と第２電池層２４とでは、その最大温度の差が１２．５１℃であった。したがって、本実施形態の電池モジュール１０では、各電池セル２１における最大温度の差が、比較例の電池モジュールと比較して１１．７０℃小さくなった。よって、本実施形態の電池モジュール１０では、各電池セル２１の長寿命化を図ることができる。
【００３６】
したがって、上記実施形態の電池モジュール１０によれば、以下のような効果を得ることができる。
（１）層間媒体流路１５は、第１電池層２３と第２電池層２４の間に形成されているため、第１電池層２３の中心にのみ媒体流路Ｖを形成する場合と比べて、層間媒体流路１５と第１電池層２３，第２電池層２４までの離間距離を平均化することができる。このため、層間媒体流路１５を流れる熱交換媒体との間の熱交換のされやすさにばらつきが生じることを抑制することができる。したがって、各電池セル２１間における温度分布のばらつきを少なくすることができる。
【００３７】
（２）特に、本実施形態では、第１電池層２３を形成する各電池セル２１の中心軸を結ぶ包絡線Ｅ１から層間媒体流路１５までの距離を一定としている。また、第２電池層２４を形成する各電池セル２１の中心軸を結ぶ包絡線Ｅ２から層間媒体流路１５までの距離を一定としている。そして、包絡線Ｅ１から層間媒体流路１５までの距離と、包絡線Ｅ２から層間媒体流路１５までの距離を等しくしている。したがって、第１電池層２３，第２電池層２４を構成する各電池セル２１は、層間媒体流路１５を流れる熱交換媒体との間で均等に熱交換される。したがって、第１電池層２３，第２電池層２４を構成する各電池セル２１間における温度分布のばらつきを少なくすることができる。
【００３８】
（３）ケース１１は金属からなる。したがって、電池セル２１と熱交換媒体の熱交換効率が向上される。
（４）ケース１１は、内側保持部材１１ｃと外側保持部材１１ｂを連結部１１ａで連結することにより形成されている。このため、内側保持部材１１ｃと外側保持部材１１ｂの間に層間媒体流路１５を形成しても、内側保持部材１１ｃと外側保持部材１１ｂが分離されない。また、内側保持部材１１ｃと外側保持部材１１ｂの間に形成される空間を層間媒体流路１５としているため、別部材を設けることなく層間媒体流路１５を形成することができる。したがって、部品点数を少なくすることができる。
【００３９】
なお、本実施形態は以下のように変更してもよい。
○  図３に示すように、層間媒体流路１５の内側に配置された第１電池層２３のさらに内側に、電池セル２１の軸方向（ケース１１の中心軸Ｃ方向）に沿って延びるように、熱交換媒体を流すための内側媒体流路１６を形成してもよい。より具体的に言えば、内側媒体流路１６は、最も内側に配置された電池層となる第１電池層２３の内側において、平面視において中心に位置するように形成されている。これによれば、第１電池層２３，第２電池層２４を形成する各電池セル２１は、層間媒体流路１５を流れる熱交換媒体に加え、内側媒体流路１６を流れる熱交換媒体によって冷却される。したがって、各電池セル２１に対する熱交換効率（冷却効率）が向上する。なお、内側媒体流路１６は、第１電池層２３の内側に複数形成されていてもよい。
【００４０】
また、内側媒体流路１６を形成する場合、層間媒体流路１５を流れる熱交換媒体の流速は、内側媒体流路１６を流れる熱交換媒体の流速と比較して速い（大きい）流速に設定されていることが好ましい。
【００４１】
この場合、例えば、層間媒体流路１５は、熱交換媒体の流れる方向と直交する方向における断面積が内側媒体流路１６の断面積よりも小さくなるように形成する。そして、内側媒体流路１６及び層間媒体流路１５は、熱交換媒体の（単位時間当りの）流量を同一に設定することにより、層間媒体流路１５を流れる熱交換媒体の流速を、内側媒体流路１６を流れる熱交換媒体の流速と比較して速い（大きい）流速に設定できる。
【００４２】
また、層間媒体流路１５と内側媒体流路１６において熱交換媒体の流れる方向と直交する方向における断面積を同一とし、例えばポンプにより熱交換媒体の流速を調整することにより、層間媒体流路１５を流れる熱交換媒体の流速を、内側媒体流路１６を流れる熱交換媒体の流速と比較して速い（大きい）流速に設定することもできる。
【００４３】
電池セル２１を同一間隔で配置して各電池層を形成する場合、外側に配置される電池層を形成する電池セルの数は、内側に配置される電池層を形成する電池セルの数に比べて多くなる。このため、外側に形成される媒体流路（層間媒体流路１５）を流れる熱交換媒体は、内側に形成される媒体流路（内側媒体流路１６）を流れる熱交換媒体に比べて、多くの電池セルと熱交換される。したがって、外側に形成される媒体流路を流れる熱交換媒体の温度は高くなりやすく、各電池セルに対しての熱交換効率が低下しやすい。これに対して、外側に形成される媒体流路の流速を速い流速に設定することにより、各電池セルに対する熱交換効率の向上が図られ、各電池セルの温度分布のばらつきを少なくすることができる。
【００４４】
○  図４に示すように、第２電池層２４の外側を取り囲むように電池セル２１を配置して第３電池層２６を設けてもよい。また、この第３電池層２６の外側を取り囲むように電池セル２１を配置して、４層以上の電池層を形成してもよい。この場合、例えば、図４に示すように、第２電池層２４と第３電池層２６の間にも層間媒体流路１７を形成してもよい。すなわち、全ての電池層間に層間媒体流路を形成してもよく、１又は複数である少なくとも一部の電池層間に層間媒体流路を形成してもよい。さらにこの場合には、外側の電池層ほど電池セル２１を多く配置していることから、各媒体流路１５，１６，１７を流れる熱交換媒体の流速は、内側媒体流路１６＜層間媒体流路１５＜層間媒体流路１７の順に速い流速に設定されていることが好ましい。すなわち、外側に配置された媒体流路であるほど、熱交換媒体の流速を速い（大きい）流速に設定するとよい。なお、本別例において、内側媒体流路１６を省略してもよい。
【００４５】
○  実施形態において、ケース１１の形状は四角柱など適宜変更してもよい。
○  実施形態において、ケース１１は、熱伝導性の良好な樹脂などから形成されていてもよい。
【００４６】
○  実施形態において、各電池セル２１は、柱状であれば円柱状に限らず、角柱状や、立方体状としてもよい。
○  実施形態において、第１電池層２３，第２電池層２４は、平面視において各電池セル２１を環状に配置して形成されていれば、平面視において楕円形や、四角形、六角形、波形状などの環状に形成されていてもよい。
【００４７】
○  実施形態において、第１電池層２３，第２電池層２４は、電池セル２１を円弧状に配置して形成してもよい。すなわち、第１電池層２３，第２電池層２４は、電池セル２１を閉じた完全な環状に配置することに限られず、環の一部をなすように配置して形成してもよい。
【００４８】
○  実施形態において、層間媒体流路１５の数や形状を変更してもよい。例えば、第１電池層２３と第２電池層２４の間において、層間媒体流路１５の外側を取り囲むように環状をなす層間媒体流路を１または複数、設けてもよい。また、層間媒体流路１５の形状は、ケース１１においてケース１１の軸方向に貫通する貫通孔（細孔）を複数形成し、この貫通孔を平面視において環状に配置したものでもよい。
【００４９】
○  実施形態において、層間媒体流路１５は、第１電池層２３、及び第２電池層２４のうち一方の電池層に対して、他方の電池層より近接させた構成としてもよい。すなわち、層間媒体流路１５は、層間媒体流路１５を挟むように配置された電池層のうち少なくとも何れかの電池層を形成する各電池セル２１の中心軸をつなぐ包絡線からの距離が一定となるように形成された環状の流路であればよい。また、層間媒体流路１５は、平面視において例えば波型や、多角形をなしていてもよい。
【００５０】
○  実施形態において、第１電池層２３、第２電池層２４、及び層間媒体流路１５は、平面視においてケース１１の中心軸Ｃを中心とした同心円状に配置されていなくてもよい。すなわち、平面視において、第１電池層２３の中心点が第２電池層２４の内部に位置し、第２電池層２４の全体が第１電池層２３を取り囲むように第１電池層の外側に配置されていればよく、第１電池層２３と第２電池層２４の中心点が平面視で一致していなくてもよい。
【００５１】
○  実施形態において、最も外側に配置される電池層（第２電池層２４）の外側に更に熱交換媒体が流れる媒体流路を形成してもよい。
○  実施形態において、第１電池層２３，第２電池層２４を形成する電池セル２１は、隣り合う電池セル２１同士の間隔が一定とされていなくてもよい。
【００５２】
○  実施形態において、各電池セル２１として一次電池を用いてもよい。
次に、上記実施形態及び別例から把握できる技術的思想について、以下に追記する。
（イ）前記層間媒体流路を流れる熱交換媒体の流速は、前記内側媒体流路を流れる熱交換媒体の流速と比較して速い流速に設定されていることを特徴とする請求項２に記載の電池モジュール。
【００５３】
（ロ）前記層間媒体流路は、前記熱交換媒体の流れる方向と直交する方向における断面積が、前記熱交換媒体の流れる方向に直交する方向における前記内側媒体流路の断面積よりも小さくなるように形成されており、
前記内側媒体流路及び前記層間媒体流路は、前記熱交換媒体の流量が同一に設定されていることにより、前記層間媒体流路を流れる熱交換媒体の流速は、前記内側媒体流路を流れる熱交換媒体の流速と比較して速い流速に設定されていることを特徴とする請求項２に記載の電池モジュール。
【００５４】
（ハ）前記内側媒体流路は、最も内側に配置された電池層の内側に形成されていることを特徴とする請求項１〜３、技術的思想（イ）、（ロ）のいずれか１項に記載の電池モジュール。
【００５５】
（ニ）前記層間媒体流路は、全ての電池層間に形成されていることを特徴とする請求項１〜３、技術的思想（イ）〜（ハ）のいずれか１項に記載の電池モジュール。
【符号の説明】
【００５６】
Ｅ１，Ｅ２…包絡線、１０…電池モジュール、１１…ケース、１１ａ…連結部、１１ｂ…外側保持部材、１１ｃ…内側保持部材、１５，１７…層間媒体流路、１６…内側媒体流路、２１…電池セル、２３…第１電池層、２４…第２電池層、２６…第３電池層。
【図１】
2012252910.tif 000003
【図２】
2012252910.tif 000004
【図３】
2012252910.tif 000005
【図４】
2012252910.tif 000006